(57)【要約】【課題】本発明は、室内機の小型化を保持して、酸素濃度の分布バラツキを防止し安定した高濃度酸素の供給と酸素富化の効率向上を図り、室外機の設置条件による影響を受けず安全性と快適性の向上化を得る空気調和機を提供する。【解決手段】室内機１と室外機２との間に亘って設けられ、室内機を介して被空調室Ｒの空気を室外機近傍へ導く排気ダクト３１と、室外機に備えられ排気ダクトによって導かれた室内空気を受けて酸素富化し高濃度酸素に換えて導出する酸素富化ユニット３０と、この酸素富化ユニットに接続され酸素富化ユニットから導かれる高濃度酸素を室内機へ案内し被空調室へ導出させる案内機構３２とを具備する。【選択図】    図１
2004361024.tif 000002
【特許請求の範囲】
【請求項１】
それぞれに熱交換器と送風機を備えた室内機および室外機からなる空気調和機において、
上記室内機と上記室外機との間に亘って設けられ、室内機を介して被空調室の空気を上記室外機近傍へ導く排気ダクトと、
上記室外機に備えられ、上記排気ダクトによって導かれた室内空気を受けて酸素富化し高濃度酸素に換えて導出する酸素富化ユニットと、
この酸素富化ユニットに接続され、酸素富化ユニットから導かれる高濃度酸素を上記室内機へ案内し被空調室へ導出させる案内手段と
を具備すること特徴とする空気調和機。
【請求項２】
上記室外機は、上記排気ダクトと上記酸素富化ユニットとの間に介設され、排気ダクトから導かれる室内空気と室外機内部に導かれる外気とを選択切換え、もしくは両方を酸素富化ユニットへ導くダンパ機構を備えたことを特徴とする請求項１記載の空気調和機。
【請求項３】
上記室内機は、上記熱交換器と熱交換した空気を被空調室へ吹出し案内する吹出し口と、この吹出し口に設けられ運転モードに応じて吹出し方向を設定するルーバー機構を備え、
上記酸素富化ユニットの動作中は、運転モードの選択に係らず所定時間はルーバー機構の動作を停止するよう制御する制御手段を備えたことを特徴とする請求項１記載の空気調和機。
【請求項４】
上記室内機は、被空調室内の空気の一部を外部へ排出する換気手段を備え、
上記酸素富化ユニットの動作中は、所定時間は上記換気手段の動作を中断するよう制御する制御手段を備えたことを特徴とする請求項１記載の空気調和機。
【請求項５】
上記案内手段の高濃度酸素出口部に、案内手段内部へ送風して内部を乾燥する送風手段を備えたことを特徴とする請求項１記載の空気調和機。
【請求項６】
上記酸素富化ユニットと上記案内手段との連結部に、導かれる高濃度酸素を殺菌し、もしくは除菌する浄化手段が介設され、
上記案内手段の出口部に、案内手段の作用停止時において案内手段内部への空気の侵入を阻止する逆流防止手段を備えたことを特徴とする請求項１記載の空気調和機。
【発明の詳細な説明】
【０００１】
【発明の属する技術分野】
本発明は、室内機と室外機とからなる空気調和機に係り、特に、比較的高濃度の酸素を被空調室へ供給する酸素富化機能に関する。
【０００２】
【従来の技術】
比較的濃度の高い酸素を含んだ空気を呼吸すれば人体に好影響を与えることは周知であり、実際に、高濃度酸素を供給する装置が、特に、医療用分野において提供されている。
この種の装置は、個人に対して言わばスポット的に用いられていて、部屋全体を対象にはできない。すなわち、従来から、被空調室全体の空気の組成比率（特に酸素）を可変制御する機能を備えた空気調和機は一般的ではない。
【０００３】
ただし、提案はされていて、たとえば「特許文献１」には、空気中の酸素と窒素等を分離して酸素を透過する機能膜を備え、この機能膜の酸素透過側に圧力差を発生させるためのポンプを備え、上記機能膜の酸素の透過しない側には分離した窒素等を排気する送風手段を備えた空気調和機が開示されている。
なお説明すると、上記機能膜と、透過した酸素を所定部位に供給する真空ポンプとの組み合わせからなる酸素富化装置を、室内機もしくは室外機のいずれか一方に備えている。室内機に酸素富化装置を備えた場合は室内空気を導いて濾過し、室外機に備えた場合は外気を導いて濾過する。
【０００４】
酸素富化装置が室内機にあれば、得られた高濃度酸素をそのまま室内へ供給し、窒素等は外部へ排出する。酸素富化装置が室外機にあれば、得られた高濃度酸素をポンプに接続したホースを介して室内機に導いて室内へ供給し、窒素等はそのまま外部へ排出する。
【０００５】
【特許文献１】
特公平７−３０９２７号公報
【０００６】
【発明が解決しようとする課題】
ところで、実際に空気調和機の室内機に熱交換器と送風機を備えることの他に、電気集塵機と脱臭フィルタとからなる空気清浄機構を備えるタイプが一般化している。さらに、近時は換気機構を備え、室内の汚れた空気を外部に排出して新鮮外気の取り込みを容易化している。
その一方で、室内機は、本体を構成する筐体を壁面に取付けるタイプがほとんどであり、筐体のサイズをより小型化することによる圧迫感の軽減化の要望が大である。
【０００７】
すなわち、現在、筐体は各種の機能を備えることから、サイズ的にほとんど最大許容限度に至っていて、設計的に他の装置、たとえば上述の酸素富化装置を収容するのは困難視されている。したがって、上記酸素富化装置を室外機に搭載すると都合がよい。
室外機に酸素富化装置を搭載した場合には、外気を導入して酸素富化装置に供給することになるが、外気は常に一定の酸素濃度であって、窒素等に比較して酸素の割合が特に多くはない。
【０００８】
特に、冬季などの外気が低温化する条件下では、機能膜における酸素の分圧が下がって、高濃度酸素の供給量が低下してしまう。そのため、高機能で高耐久性が要求される機能膜を用いる必要があり、コスト的に極めて不利となる。
また、環境条件によっては、外気に窒素酸化物や硫化酸化鉄等の有害物質が多く含まれていて、酸素富化装置ではこのような有害物質を完全に濾過することは困難であり、そのまま室内に供給してしまう危険性がある。
【０００９】
本発明は上記事情に着目してなされたものであり、その目的とするところは、室内機の小型化を保持して、酸素濃度の分布バラツキを防止し安定した比較的高濃度の酸素の供給と酸素富化の効率向上を図り、室外機の設置条件による影響を受けず安全性と快適性の向上化を得る空気調和機を提供しようとするものである。
【００１０】
【課題を解決するための手段】
上記課題を解決し目的を達成するために、本発明は、それぞれに熱交換器と送風機を備えた室内機および室外機から構成される空気調和機において、室内機と室外機との間に亘って設けられ室内機を介して被空調室の空気を室外機近傍へ導く排気ダクトと、室外機に備えられ排気ダクトによって導かれた室内空気を受けて酸素富化し高濃度酸素に換えて導出する酸素富化ユニットと、この酸素富化ユニットに接続され酸素富化ユニットから導かれる高濃度酸素を室内機へ案内し被空調室へ導出させる案内手段とを具備する。
【００１１】
このような空気調和機であるので、室内機の小型化を保持して酸素濃度の分布バラツキを防止し安定した高濃度酸素の供給と酸素富化の効率向上を図り、室外機が汚染された場所に設置されても影響を受けずに安全性および快適性の向上化を得られる。
【００１２】
【発明の実施の形態】
以下、本発明の実施の形態を図面を参照して説明する。
図１は第１の実施の形態の酸素富化装置を備えた空気調和機の概略の構成図、図２は空気調和機を構成する室内機１の縦断面図、図３は空気調和機を構成する室外機２の横断平面図、図４は酸素富化装置Ｓを構成する酸素富化ユニット３０の概略の構成を示す斜視図である。
【００１３】
空気調和機は、被空調室Ｒの壁面ａ高所に取付けられる室内機１と、屋外Ｕに据付けられる室外機２とから構成されていて、これら室内機１と室外機２との間には、ここでは図示しない冷媒管と電気配線が接続される。
上記室内機１は、前面パネル３と後板４とからなる筐体５内に、略逆Ｖ字状に形成される室内熱交換器６を備えている。室内熱交換器６を構成する前側熱交換器部６Ａは筐体５前面に形成される前部吸込み口７に対向し、後側熱交換器部６Ｂは筐体５上面に形成される上部吸込み口８に対向している。
【００１４】
前側熱交換器部６Ａの前面に空気清浄機構を構成する電気集塵機９と、図示しない脱臭フィルタが取付けられている。前側熱交換器部６Ａと後側熱交換器部６Ｂとの間には横流ファン１０が配置される。この横流ファン１０の一端部にファンモータが連結され、これらで室内送風機が構成される。
上記後板４には、後側熱交換器部６Ｂの下端部を支持する後部ドレン皿４ａが一体に形成され、この延長部分が上記横流ファン１０の側部から筐体５下面部に亘り湾曲形成されている。
【００１５】
後板４の両側部には図示しないドレン水案内樋が突設され、さらに前側熱交換器部６Ａの下端部を受ける前部ドレン皿４ｂが一体に形成される。この前部ドレン皿４ａから筐体５下面部に亘り延長されていて、前後ドレン皿４ｂ，４ａおよび延長部で横流ファン１０に対する送風路１１が形成されている。
上記送風路１１は、筐体５下面部に開口する吹出し口１２に連結される。この吹出し口１２には、上下２枚の水平ルーバー１３ａ，１３ｂと複数枚の縦ルーバー１３ｃとから構成されるルーバー機構１３が取付けられる。
【００１６】
後述するようにルーバー機構１３において、上下水平ルーバー１３ａ，１３ｂは互いに別個に回動駆動され、縦ルーバー１３ｃは全て一斉に回動方向が設定されるようになっている。
上記室外機２は、平面視で横長矩形状に成形される筐体１５を備え、この筐体１５内は仕切り板１６により左右二室に仕切られている。仕切り板１６で仕切られた一室を熱交換室１７、他室を機械室１８と呼ぶ。この機械室１７には、圧縮機１９と図示しない気液分離器、弁類および電気端子箱等が配置される。
【００１７】
上記熱交換室１７には、平面視でＬ字状の室外熱交換器２０と、この室外熱交換器２０と対向してプロペラファン型の室外送風機２１が配置される。熱交換室１７の室外熱交換器２０と対向する筐体１５背面と側面部位には図示しない外気吸込み口が設けられ、室外送風機２１と対向する筐体１５前面には外気吹出し口２２が設けられる。
【００１８】
上記酸素富化装置Ｓは、上記室外機２に収容される酸素富化ユニット３０と、室内機１と室外機２とに亘って設けられる排気ダクト３１および案内機構（案内手段）３２から構成される。
はじめに酸素富化ユニット３０から説明すると、これは室外機筐体１５内の機械室１８に圧縮機１９とともに収容されていて、酸素富化膜３３と真空ポンプ３４との組み合わせからなる。
【００１９】
上記酸素富化膜３３は、矩形状で厚肉の板体を立て掛けたのと同様の形態で、上面と前後両側面に空気吸込み口３５が設けられる。酸素富化膜３３は、空気中の酸素と窒素等を分離して酸素のみ透過させ、窒素等は透過させない特性を備えている。
この酸素富化膜３３の酸素透過側に入口管３６を介して上記真空ポンプ３４が連通され、酸素富化膜３３を透過した酸素は入口管３６に集められ真空ポンプ３４に吸込まれるようになっている。
【００２０】
真空ポンプ３４の出口部には、上記案内機構３２を構成する高濃度酸素供給管が接続される。上記高濃度酸素供給管３２は室外機筐体１５から出てから壁面ａ外部に沿って立上がり、所定部位において壁面を貫通して上記室内機１に挿入される。
室内機１における高濃度酸素供給管３２の開口端部は、上記横流ファン１０と吹出し口１２とを連通する送風路１１中に位置しており、この供給管３２から導びかれる高濃度酸素を送風路１１に沿って導かれる熱交換空気中に供出できるようになっている。
【００２１】
また、室内機１の内部で、上記送風路１１とは隔離された状態で上記排気ダクト３１を構成する送風ファン３７が収容される。この送風ファン３７は、上記前部吸込み口７もしくは上部吸込み口８から室内空気を吸込む。
上記送風ファン３７の吹出し部には内気導出管３８が接続されていて、これは室内機１を出て壁面ａを貫通し、上記高濃度酸素供給管３２と並行して室外機２へ延出される。そして、室外機２の筐体１５を貫通して、開口端が上記酸素富化ユニット３０を構成する酸素富化膜３３の吸込み口３５に対向する。
【００２２】
このようにして構成される空気調和機であり、冷房運転、暖房運転、除湿運転などの運転モードの設定に応じて冷凍サイクルが切換り、室内機１の吹出し口１２からそれぞれに対応して熱交換した空気が吹出される。
酸素富化運転（あるいは、高濃度酸素供給運転とも呼ぶ）が選択されると、酸素富化ユニット３０の真空ポンプ３４が作動するとともに、排気ダクト３１の送風ファン３７が作動する。
【００２３】
上記送風ファン３７は室内機１を介して室内空気を吸込み内気導出管３８へ送風する。すなわち、室内空気の一部を排出することになり、この排出された室内空気は酸素富化ユニット３０へ供給される。
排出された室内空気は上記酸素富化膜３３の吸込み口３５から導びかれ、酸素富化膜３３を透過する酸素と、透過しない窒素等に分離される。真空ポンプ３４は酸素富化膜３３の酸素透過側に圧力差を発生させ、入口管３６を介して酸素を吸込む。酸素富化膜３３を透過しない窒素等は外部へ排出される。
【００２４】
酸素富化膜３３を透過した酸素は、空気中から窒素等が除外されて残った酸素であるから、空気中の酸素濃度と比較して極めて濃度の高い酸素となる。この高濃度酸素は真空ポンプ３４から案内機構を構成する高濃度酸素供給管３２に導出され、ここから室内機１へ導かれる。
室内機１においては、室内熱交換器６と熱交換したあとの室内空気中に高濃度酸素供給管３２を介して導かれた高濃度酸素が混在し、酸素量が増大した状態で吹出し口１２から室内へ吹出される。
【００２５】
このような酸素富化運転を継続すれば、被空調室Ｒにおいて消費される酸素量が多少多くても上記酸素富化装置Ｓから新たに室内へ供給される酸素により室内は比較的高濃度の酸素状態となり人体に好影響を与える。
同時に、室内機１の前部吸込み口７と上部吸込み口８とから吸込まれる室内空気の酸素含有量が徐々に上昇する。上記排気ダクト３１は、このような酸素含有量が上昇する室内空気を酸素富化ユニット３０に供給し続ける。
【００２６】
したがって、酸素富化ユニット３０は時間の経過とともに、より酸素含有量の大なる室内空気を導入し、より高濃度の酸素に換えて高濃度酸素供給管３２を介して再び室内へ供給する。
特に、冬季など外気温が低い場合であっても、比較的温度が高く、かつ高濃度を保持した酸素を含有する室内空気が酸素富化ユニット３０へ導かれる。酸素富化ユニット３０における酸素の分圧が高められ、外気温の影響を受けずにより高濃度の酸素を室内へ供給できる。
【００２７】
空気調和機を設置する場所の環境状況が悪い条件下にある、たとえば自動車の交通量が極めて大なる場合は、外部空気（外気）中に窒素酸化物や硫化酸化物が多く含まれる。しかしながら、上述したような酸素富化運転を選択すれば、外部の悪条件に全く影響されることはない。
【００２８】
さらに、空気調和機を設置する場所が良環境条件下にあれば、排出された室内空気を酸素富化するばかりでなく、外気を酸素富化した方がより濃度の高い酸素を室内に供給することができる。以下、酸素富化ユニット３０に外気を取入れ可能にした空気調和機について述べる。
【００２９】
図５に第２の実施形態の室外機の概略の横断平面図を示す。この室外機２の基本的な構成は先に説明したものと同一であり、同一構成部品については同番号を付して新たな説明を省略する。（以下、同じ）
室外機２に収容される酸素富化装置Ｓａは、排気ダクト３１の吹出し部ｂと酸素富化ユニット３０の酸素富化膜３３における吸込み口３５との間にダンパ機構４０を備えたことを特徴としている。
【００３０】
上記ダンパ機構４０は、排気ダクト３１を介して導かれる排出された室内空気と、室外機２周囲の外気のいずれか一方を任意に選択して酸素富化ユニット３０に案内する。あるいは、上記排出された室内空気と外気の両方を酸素富化ユニット３０へ案内することもできる。
具体的には、被空調室に二酸化炭素濃度を検知する装置を備えて、図示しない制御部（制御手段）を介してダンパ機構４０に電気的に接続する。そして、被空調室Ｒ内の二酸化炭素濃度に応じてダンパ機構４０を作動し、排出された室内空気もしくは外気を選択し、あるいはその両方を酸素富化ユニット３０へ導く。
【００３１】
あるいは、室外機２に外気温を測定する温度センサ４１を取付ける、もしくは外気温を推測する温度推測センサを備えて、制御部（制御手段）を介してダンパ機構４０に電気的に接続する。
いずれかのセンサによって外気温を検出もしくは推測し、外気温が設定値以下になった場合にダンパ機構４０を所定状態に自動的に切換えるようにすれば、ユーザーの手間を軽減できる。
【００３２】
図６に第３の実施の形態の室外機の概略の横断平面図を示す。酸素富化装置Ｓｂは、室外機２の圧縮機１９が収納される機械室１８内に酸素富化ユニット３０が配置され、かつ酸素富化ユニット３０の吸込み部が室外熱交換器２０の下流部に位置するように配置される。
上記酸素富化ユニット３０に対向して排気ダクト３１の開口端が配置され、かつこの開口端とユニット３０との間に上述と同一構造のダンパ機構４０が介在される。
【００３３】
このような構成であれば、状況に応じて酸素富化ユニット３０へ室外熱交換器２０を通過し熱交換された室外空気と、排気ダクト３１から導かれる排出された室内空気との供給を切換えることが可能となる。
また、外温度を検出する温度センサ４１を配して外気温を検出し、外気温が所定値以下になった場合に、ダンパ機構４０を外気側から排気ダクト３１から排出された室内空気側に自動的に切換えるようにしてもよい。
【００３４】
また、上記ダンパ機構４０の切換えにより、比較的外気温度の低い冷房運転時は室外熱交換器２０と熱交換した比較的高めの温度の外気を供給して、酸素富化ユニットの効率を高めることができる。暖房運転時は、比較的温度の高い室内空気を利用すれば、低温の外気を酸素富化ユニット３０に供給することによる暖房能力の低下を抑制できる。
【００３５】
図７は、第２の実施の形態と、第３の実施の形態で説明したダンパ機構４０を操作する切換えスイッチ４４を備えた室内機１の斜視図である。
図において、筐体５を構成する前面パネル３の一部を省略していて、室内熱交換器６と、この室内熱交換器６の前面に電気集塵機９が露出している。ルーバー機構１３で閉成される吹込み口１２の上部桟に、表示部４２と受光フィルタ４３および切換えスイッチ４４が設けられる。
【００３６】
上記切換えスイッチ４４は、いわゆるスライドスイッチであって、スライド方向に応じて上記ダンパ機構４０が作動し上記酸素富化ユニット３０に排出された室内空気もしくは外気を供給するよう切換える。
たとえば、設置先の環境状況に応じて排出された室内空気のみを利用する、もしくは外気のみを利用する、もしくはその両方を利用するよう固定化できる。当然、このようなダンパ機構４０の切換えスイッチ４４を、上記室外機２に備えるようにしても支障がない。
【００３７】
図８は、第２の実施の形態と、第３の実施の形態で説明したダンパ機構４０の切換えスイッチ４４の設置先の変形例で、リモコン４５の正面図を示す。
上記リモコン４５は時計表示部４６や室内温度と運転モードの表示部４７を備え、さらに温度設定ボタン、運転モード選択ボタン、各種機能ボタンなどのボタン類４８と、運転開始スイッチ、運転停止スイッチ、予約スイッチ、取消スイッチなどのスイッチ類４９が設けられる。
【００３８】
上記切換えスイッチ４４は、ボタン類４８とスイッチ類４９との間に設けられる、いわゆるスライドスイッチであって、スライド方向に応じて上記ダンパ機構４０が作動して酸素富化ユニット３０へ排出された室内空気もしくは外気を供給するよう切換える。
また、このリモコン４５において上述の切換えスイッチ４４のような専用スイッチを備えることなく、既設のメニューボタンに対する操作で切換えるようにしてもよい。この場合は、新たなスイッチ４４を設ける必要がなく、他の機種とのリモコン共用化が図れてコストへの影響を抑制できる。
【００３９】
また、リモコン４５によるスイッチの押し間違え等で、不用意に切換えが行われてしまうことを事前に防止できる。このスイッチを、従来から備えている強制冷房や強制自動運転を行うスイッチを押す時間の長さによる切換えとすれば、新たにスイッチを配することがなくコストへの影響が少なくてすむ。
【００４０】
なお、上下２枚の水平ルーバー１３ａ，１３ｂおよび複数枚の縦ルーバー１３ｃから構成されるルーバー機構１３と上記酸素富化装置Ｓとは、以下に述べるように関連付けて制御するとよい。
【００４１】
図９は本発明の第４の実施の形態に係る、酸素富化運転とルーバー制御動作を表すフローチャート図である。
運転開始からはじまり、ステップＳ１で酸素富化運転が選択されるか否かが判断される。酸素富化運転が選択された（Ｙｅｓ）場合は、ステップＳ２へ進んでルーバー機構１３を構成する上下水平ルーバー１３ａ，１３ｂが前回運転時に記憶したルーバ傾き位置が再起動で同じ状態に設定されることがリセットされる。また、酸素富化運転が選択されない（Ｎｏ）場合は、ルーバー機構１３は前回動作のルーバ傾き記憶位置を保持する。
【００４２】
ステップＳ２からステップＳ３に移って、ルーバー機構１３を構成する縦ルーバー１３ｃが前回の記憶位置をリセットされる。上下水平ルーバー１３ａ，１３ｂと縦ルーバー１３ｃがリセットされたあと、ステップＳ４においてタイマのカウントが開始される。
【００４３】
つぎに、ステップＳ５に移って冷房運転またはドライ運転が選択されるか否かが判断される。いずれかの運転が選択された（Ｙｅｓ）場合はステップＳ６へ移り、何れの運転も選択されない場合（Ｎｏ）、すなわち暖房運転であればステップ８へ進む。
【００４４】
冷房・ドライ運転のステップＳ６では上水平ルーバー１３ａが水平位置に固定され、ついでステップＳ７で下水平ルーバー１３ｂが水平位置に固定される。暖房運転のステップＳ８では上水平ルーバー１３ａが水平位置に固定され、ステップＳ９で下水平ルーバー１３ｂが下限位置に固定される。
【００４５】
何れの運転モードであってもステップＳ１０に移って、縦ルーバー１３ｃを正面位置に移動し固定する。そのあとステップ１１において酸素富化運転を解除しているか否かが判断される。
このステップＳ１１で意図的に酸素富化運転が解除（Ｎｏ）されていなければ、ステップＳ１２へ進んで、ステップＳ４のタイマカウントが３０分経過するのを待機する。
【００４６】
３０分が経過したら、ステップＳ１３において上下水平ルーバー１３ａ，１３ｂと縦ルーバー１３ｃが記憶位置に戻されて終了となる。また、ステップＳ１１で酸素富化運転がクリア（Ｙｅｓ）されていれば、ステップＳ１に戻る。
【００４７】
このようにして、酸素富化運転を選択すると、所定時間（ここでは３０分）だけルーバー機構１３を構成する上下水平・縦ルーバー１３ａ〜１３ｃが所定位置に固定される。
したがって、使用者が室内の空調を行うために意図的に設定した各ルーバーの位置よりも効率よく高濃度酸素を集中的に供給でき、高濃度酸素を被空調室Ｒの隅々で行き渡らせることが可能である。所定時間を経過したあとは、各ルーバー１３ａ〜１３ｃを記憶位置に戻して、使用者が意図する方向へ風が吹出すようにして、空調による快適性を高める。
【００４８】
そして、冷房運転時およびドライ運転時は上下水平ルーバー１３ａ，１３ｂの両方を水平位置に向け、酸素富化された冷風を被空調室Ｒの上部に吹出させる。暖房運転時は上下水平ルーバー１３ａ，１３ｂを水平と下限の別々として、被空調室Ｒ全体に対して酸素富化供給を行うとともに足元を暖める。
いずれの運転であっても、縦ルーバー１３ｃは最大風量運転を確保するため正面位置で固定する。ただし、各ルーバー１３ａ〜１３ｃの位置を固定する時間を制限することにより、長時間意図しない位置に固定することを避ける。
【００４９】
図１０は、第４の実施の形態の変形であり、図９と同一条件でかつルーバー制御の一部を変更したフローチャート図である。
ステップＳ１からステップＳ９までは先に図９で説明したフローと全く同一であるので、同図を適用して新たな説明を省略する。ここでは、ステップＳ７とステップＳ９からステップＳ１４に移って、縦ルーバー１３ｃがスイング運転するか否かが選択される。
【００５０】
縦ルーバー１３ｃのスイング運転が選択された（Ｙｅｓ）場合は、ステップＳ１５で縦ルーバー１３ｃのスイング運転が開始される。選択されない（Ｎｏ）場合は、先に説明したステップＳ１０へ移る。ステップＳ１５とステップＳ１０からは先に説明したステップＳ１１に移り、これ以降のステップＳ１３までは変更がないので新たな説明は省略する。
【００５１】
このように、ステップＳ１４で縦ルーバー１３ｃをスイング運転させれば、高濃度酸素を室内機の正面位置ばかりでなく、室内の左右隅部まで導くことができ、室内酸素分布のバラツキを防げる。
【００５２】
なお、空気調和機の機種によっては、室内機１に換気機構を備えて、たとえば喫煙等により被空調室Ｒの空気が汚れた場合は換気機構を作動させて換気することができる。
このような機種におけるルーバー機構１３と上記酸素富化装置Ｓおよび換気機構とは、以下に述べるように関連付けて制御される。
【００５３】
図１１は本発明の第５の実施の形態に係る、選択された冷凍サイクルの運転モードおよび酸素富化運転と、換気機構およびルーバー機構１３に対する制御を示すフローチャート図である。
【００５４】
運転開始からはじまり、ステップＴ１で酸素富化運転が選択されているか否かが判断される。酸素富化運転が選択された（Ｙｅｓ）場合はステップＴ２へ進み、上下水平ルーバー１３ａ，１３ｂがリセットされる。酸素富化運転が選択されない（Ｎｏ）場合は、ルーバー機構１３は記憶位置を保持する。
【００５５】
ステップＴ２からステップＴ３に移って、縦ルーバー１３ｃがリセットされる。上下水平ルーバー１３ａ，１３ｂと縦ルーバー１３ｃがリセットされたあと、ステップＴ４においてタイマ１のカウントが開始され、ステップＴ５においてタイマ２のカウントが開始される。
【００５６】
そして、ステップＴ６に移って、冷房運転またはドライ運転が選択されているか否かが判断される。いずれかの運転が選択された（Ｙｅｓ）場合はステップＴ７へ移り、選択されない（Ｎｏ）場合、すなわち暖房運転であればステップＴ９へ進む。
【００５７】
冷房・ドライ運転のステップＴ７では上水平ルーバー１３ａが水平位置に固定され、ついでステップＴ８で下水平ルーバー１３ｂが水平位置に固定される。暖房運転のステップＴ９では上水平ルーバー１３ａが水平位置に固定され、ステップＴ１０で下水平ルーバー１３ｂが下限位置に固定される。
【００５８】
何れの運転であってもステップＴ１１に移って、縦ルーバー１３ｃをスイング運転するか否かの選択をなす。スイング運転が選択された（Ｙｅｓ）場合は、ステップＴ１２で縦ルーバー１３ｃのスイング運転を開始する。スイング運転を選択しない（Ｎｏ）場合は、ステップＴ１３へ進んで縦ルーバー１３ｃを正面位置に固定する。
【００５９】
いずれにしても、つぎにステップＴ１４において図示しない換気機構を構成する換気ファンが運転中であるか否かが判断される。換気ファンが停止している（Ｎｏ）場合であれば、ステップＴ１５に移って酸素富化運転を解除しているか否かが判断される。
【００６０】
このステップＴ１５で、意図的に酸素富化運転が解除されていなければ（Ｎｏ）、ステップＴ１６へ進んで先にステップＴ４のタイマ１のタイマカウントが３０分経過するのを待機する。３０分が経過したら、ステップＴ１７で上下水平・縦ルーバー１３ａ〜１３ｃを記憶位置へ戻して終了となる。
【００６１】
一方、ステップＴ１４で換気ファンが運転中である（Ｙｅｓ）ことを確認したら、ステップＴ１８に移って換気ファンを停止する。さらに、ステップＴ１９に進んで換気ファンの強制運転を選択しているか否か、すなわち換気ファンの運転が再開されているか否かが判断される。
【００６２】
このステップＴ１９で強制的に換気ファンの運転が再開されていなければ（Ｎｏ）、ステップＴ２０でステップＴ５におけるタイマ２のタイマカウントが６０分経過するのを待機する。６０分が経過したら、ステップＴ２１で換気ファンの運転再開をなし終了となる。
【００６３】
ただし、ステップＴ１９で強制的に換気ファンの運転が選択された（Ｙｅｓ）場合は、ステップＴ２１へ直接進んで換気ファンの運転が再開され、その後終了となる。
ここでの制御は、酸素富化運転中であるときに換気ファンを運転して、それまで室内に供給された高濃度酸素を室外に排出してしまう誤動作を防止するようにしたものである。
【００６４】
ただし、上記換気ファンの停止時間を制限することで、供給される酸素富化とのバランスをとる。所定時間経過後は、換気運転を再開することで室内の空気の汚れを抑える。酸素富化運転途中で強制換気を選択すれば、即、換気ファン運転を再開して換気運転をなす。
なお、酸素富化ユニット３０を構成する酸素富化膜３３は、酸素ばかりでなく、空気中に含まれる水分も透過する。このことから、長時間使用にともない、酸素富化ユニット３０の導出側に備えられる高濃度酸素供給管（案内機構）３２に水分が充満し、水滴となって供給管３２内壁に付着してしまう。
【００６５】
水滴が蒸発しないまま長期間放置されると、供給管３２内にカビやバクテリア等の人体に有害な物質が発生する虞れがある。このような有害物質を含んだ排出室内空気を室内に供給することは避けなければならない。以下に、有害物質の発生防止対策を施した空気調和機の概略を説明する。
【００６６】
図１２は第６の実施の形態の空気調和機の概略の構成図であり、ここでの酸素富化装置Ｓｃは先に説明した排気ダクト３１は省略して示している。
酸素富化ユニット３０と高濃度酸素供給管３２との連結部に、乾燥剤等を充填させてなる水分除去装置５０が介設される。このことにより、酸素富化ユニット３０から導出される高濃度酸素は水分除去装置５０を流通して水分が除去され乾燥化する。
すなわち、酸素富化ユニット３０の出口付近に水分除去装置５０を備えたことで、高濃度酸素供給管内３２を乾燥させて湿度の上昇を抑え、カビ、バクテリア等の人体に有害な物質の発生を抑制する。
【００６７】
図１３は第６の実施の形態と同一の目的を備えた、第７の実施の形態を示す室外機２内部の斜視図であり、機械室１８のみ示し、熱交換室１７の詳細については図示を省略する。
【００６８】
圧縮機１９の上部に酸素富化装置Ｓｄを構成する酸素富化ユニット３０が設けられる。圧縮機１９の側部には気液分離器５１が並設され、さらに電子自動膨張弁５２が配置される。圧縮機１９と気液分離器５１および電子自動膨張弁５２は、熱交換室１７の図示しない室外熱交換器とともに冷凍サイクルを構成するよう冷媒管ｐを介して接続される。
【００６９】
上記酸素富化ユニット３０に接続される高濃度酸素供給管３２は、電子自動膨張弁５２に接続される冷媒管ｐに沿って密接状態にある。上記電子自動膨張弁５２の代りにキャピラリーチューブを用いた場合は、高濃度酸素供給管３２をキャピラリーチューブに沿わせて密着状態にすればよい。あるいは、別途、ペルチェ素子５３を配置して高濃度酸素供給管３２に沿わせるようにしてもよい。
【００７０】
いずれにしても、高濃度酸素供給管３２と冷媒管ｐ等との添設部下方には水タンク５５が設けられる。この水タンク５５の上端部に高濃度酸素供給管３２が挿入され、水タンク５５の下端部には排水管５６が接続される。
【００７１】
このような構成を採用することにより、酸素富化ユニット３０から供給される高濃度酸素と結露した水滴は、上記冷媒管ｐ等に導かれる低温の冷媒と熱交換する。したがって、高濃度酸素と結露した水滴とが分離され、水滴は水タンク５５に導かれて貯まる。
【００７２】
高濃度酸素は一旦水タンク５５に充満してから室内機１に送られる。水タンク５５内の水は排水管５６から排出される。ペルチェ素子５３を利用しても水分を結露させて分離できる。あるいは、室内機入口パイプ（冷媒用）と直接または間接的に接触させて冷却し水分を結露させて分離するようにしてもよい。
【００７３】
上述のように高濃度酸素に含まれる水分を分離する装置を備えたので、酸素富化単独運転時（空気調和機の冷房、暖房運転停止時）に高濃度酸素に含まれる水分を容易に水滴にすることができ、管３２内の湿度を押えカビ、バクテリア等の人体に有害な物質の発生を抑制する。
【００７４】
図１４は第６の実施の形態と同一の目的を備えた、第８の実施の形態を示す空気調和機の概略の構成図である。酸素富化装置Ｓｅを構成する排気ダクト３１は省略して示している。
【００７５】
酸素富化ユニット３０と高濃度酸素供給管３２との接続部に三方切換え弁６０が設けられる。この三方切換え弁６０の残りのポートには、別途配置される送風装置６１の吹出し部が接続される。
酸素富化運転が選択されると、三方切換え弁６０は酸素富化ユニット３０と高濃度酸素供給管３２とを連通する。したがって、酸素富化ユニット３０から供給される高濃度酸素は室内機１を介して室内へ供給される。
【００７６】
酸素富化運転の終了後に、三方切換え弁６０は自動的に酸素富化ユニット３０から送風装置（送風手段）６１側に切換える。タイミングをとって送風装置６１の駆動が開始され、外気が三方切換え弁６０を介して高濃度酸素供給管３２内に導かれる。
酸素富化運転中は高濃度酸素供給管３２内に水滴が付着し高湿度状態にあるが、酸素富化運転の終了とともに送風装置６１から外気が送風されるので、結露した水分は早急に蒸発する。管３２内は乾燥化して、カビやバクテリア等の人体に有害な物質の発生を抑制する。
【００７７】
図１５は第６の実施の形態と同一の目的を備えた、第９の実施の形態を示す空気調和機の概略の構成図である。やはり、酸素富化装置Ｓｆを構成する排気ダクトは省略して示している。
【００７８】
酸素富化ユニット３０と高濃度酸素供給管３２との接続部に、浄化機構（浄化手段）６２を構成する殺菌装置または除菌フィルタが取付けられ、かつ高濃度酸素供給管３２の室内機１に開口する出口部に逆流防止弁（逆流防止手段）６３が設けられる。
【００７９】
酸素富化運転中は、酸素富化ユニット３０で生成された高濃度酸素が浄化機構６２を通過して殺菌または除菌され、浄化された状態で室内へ供給される。酸素富化運転の停止中は、室内機１の高濃度酸素供給管３２開口端から侵入しようとする室内空気を逆流防止弁６３が阻止する。したがって、カビやバクテリア等の人体に有害な物質の発生を抑制する。
【００８０】
図１６は第６の実施の形態と同一の目的を備えた、第１０の実施の形態を示す室内機１と室外機２を接続する冷媒管Ｐの一部斜視図である。
上記冷媒管Ｐに密接状態となって高濃度酸素供給管３２が添設され、冷媒管Ｐとともに断熱材６５が巻き付けられる。
【００８１】
冷房シーズンは外気温が高いため、室外機２から供給される高濃度酸素の温度も高い状態で室内機１へ供給される。一方、室内熱交換器６の冷媒導入側冷媒管Ｐに流通する冷媒は低温であり、高温の高濃度酸素供給管３２と熱交換する。室内機１に導かれる高濃度酸素は温度低下して室内機１に供給される。
【００８２】
また、暖房運転時は、室内熱交換器６の冷媒導入側冷媒管Ｐに流通する冷媒は高温であり、高濃度酸素供給管３２に導かれる高濃度酸素は温度上昇して室内機１に供給される。
したがって、冷房運転と暖房運転のいずれにおいても、室内熱交換器６の熱交換効率に影響を与えることなく、常に高濃度酸素の供給がなされる。
【００８３】
さらに、本発明は前記実施の形態に限定されるものではなく、本発明の要旨を逸脱しない範囲で種々変形実施できることは勿論である。
【００８４】
【発明の効果】
以上説明したように本発明によれば、室内機の小型化を保持して、酸素濃度の分布バラツキを防止し安定した高濃度酸素の供給と酸素富化の効率向上を図り、室外機の設置条件による影響を受けず安全性と快適性の向上化を得る等の効果を奏する。
【図面の簡単な説明】
【図１】本発明の第１の実施の形態を示す、酸素富化装置を搭載した空気調和機の概略の構成図。
【図２】同実施の形態に係る、空気調和機を構成する室内機の断面図。
【図３】同実施の形態に係る、空気調和機を構成する室外機の横断平面図。
【図４】同実施の形態に係る、酸素富化ユニットの概略の構成図。
【図５】本発明の第２の実施の形態に係る、室外機の横断平面図。
【図６】本発明の第３の実施の形態に係る、室外機の横断平面図。
【図７】第２、第３の実施の形態に係る、前面パネルの一部を取外した室内機の斜視図。
【図８】第２、第３の実施の形態での変形例の、リモコンの正面図。
【図９】本発明の第４の実施の形態に係る、制御のフローチャート図。
【図１０】同実施の形態の変形例に係る、制御のフローチャート図。
【図１１】本発明の第５の実施の形態に係る、制御のフローチャート図。
【図１２】本発明の第６の実施の形態に係る、空気調和機の概略の構成図。
【図１３】本発明の第７の実施の形態に係る、室外機の一部を省略した斜視図。
【図１４】本発明の第８の実施の形態に係る、空気調和機の概略の構成図。
【図１５】本発明の第９の実施の形態に係る、空気調和機の概略の構成図。
【図１６】本発明の第１０の実施の形態に係る、室外機と室内機を接続する冷媒管の構成を示す斜視図。
【符号の説明】
６…室内熱交換器、２０…室外熱交換器、１…室内機、２…室外機、３１…排気ダクト、３０…酸素富化ユニット、３２…案内機構（案内手段）、４０…ダンパ機構、１２…吹出し口、１３…ルーバー機構、６１…送風装置（送風手段）、６２…浄化機構（浄化手段）、６３…逆流防止弁（逆流防止手段）。
【図１】
2004361024.tif 000003
【図２】
2004361024.tif 000004
【図３】
2004361024.tif 000005
【図４】
2004361024.tif 000006
【図５】
2004361024.tif 000007
【図６】
2004361024.tif 000008
【図７】
2004361024.tif 000009
【図８】
2004361024.tif 000010
【図９】
2004361024.tif 000011
【図１０】
2004361024.tif 000012
【図１１】
2004361024.tif 000013
【図１２】
2004361024.tif 000014
【図１３】
2004361024.tif 000015
【図１４】
2004361024.tif 000016
【図１５】
2004361024.tif 000017
【図１６】
2004361024.tif 000018